(57)【要約】【課題】ハブとシャフトとを結合する際の接合部における摩擦力の偏りを低減して回転軸に対するハブの傾きを抑制できる回転機器の製造方法を提供する。【解決手段】開口孔部２０ａにおけるシャフト２２の挿入側端部２０ｅの周縁近傍に液状物質３２を付着させるステップと、シャフト２２と挿入側端部２０ｅとを接近させて液状物質３２をシャフト２２に接触させた後にシャフト２２と挿入側端部２０ｅとを離反させるステップと、シャフト２２を挿入側端部２０ｅから開口孔部２０ａにおける最終固定位置２０ｆまで挿入するステップと、を含む。【選択図】図３
2012165519.tif 000002
【特許請求の範囲】
【請求項１】
ハブと、前記ハブに形成された開口孔部に結合するシャフトと、を含む回転機器の製造方法であって、
前記開口孔部における前記シャフトの挿入側端部の周縁近傍に液状物質を付着させるステップと、
前記シャフトと前記挿入側端部とを接近させて前記液状物質を前記シャフトに接触させた後に前記シャフトと前記挿入側端部とを離反させるステップと、
前記シャフトを前記挿入側端部から前記開口孔部における最終固定位置まで挿入するステップと、
を含むことを特徴とする回転機器の製造方法。
【請求項２】
前記シャフトを前記挿入側端部に対して接近させた後離反させるステップは、製造工程のサイクルタイム内で複数回実行されることを特徴とする請求項１記載の回転機器の製造方法。
【請求項３】
前記液状物質は、潤滑剤であることを特徴とする請求項１または請求項２記載の回転機器の製造方法。
【請求項４】
前記液状物質は、硬化性樹脂であることを特徴とする請求項１または請求項２記載の回転機器の製造方法。
【請求項５】
前記シャフトを前記最終固定位置まで挿入するステップは、前記最終固定位置と前記挿入側端部との間の中間位置で所定の時間静置させた後、前記最終固定位置まで挿入することを特徴とする請求項１から請求項４のいずれか１項に記載の回転機器の製造方法。
【請求項６】
前記中間位置は、前記挿入側端部から０．０５ｍｍから０．５ｍｍの範囲に設定されることを特徴とする請求項５記載の回転機器の製造方法。
【請求項７】
前記中間位置における静置時間は、０．０１秒から５秒の範囲に設定されることを特徴とする請求項５または請求項６記載の回転機器の製造方法。
【請求項８】
前記シャフトを前記最終固定位置まで挿入するステップは、前記シャフトに対して前記ハブを移動させて前記開口孔部に前記シャフトを挿入することを特徴とする請求項１から請求項７のいずれか１項に記載の回転機器の製造方法。
【請求項９】
前記シャフトを前記最終固定位置まで挿入するステップは、前記シャフトを半径方向への変位を規制した状態で前記開口孔部に挿入することを特徴とする請求項１から請求項８のいずれか１項に記載の回転機器の製造方法。
【請求項１０】
前記シャフトを前記最終固定位置まで挿入するステップは、前記ハブを半径方向へ変位可能に支持した状態で前記開口孔部に前記シャフトを挿入することを特徴とする請求項１から請求項９のいずれか１項に記載の回転機器の製造方法。
【発明の詳細な説明】
【技術分野】
【０００１】
本発明は、回転機器の製造方法、特に部材間の接合精度を向上するための技術に関する。
【背景技術】
【０００２】
近年、ハードディスクドライブなどの回転機器は、一層の小型化が求められている。たとえば磁気的にデータを記録する回転機器では、記録ディスクを高速で回転させておき、磁気ヘッドがその記録ディスクに対して僅かに浮上した空隙を保ってトレースしながら、データを記録再生する。このような回転機器には、記録ディスクを載置すべきハブの中心に形成された開口孔部にシャフトを結合してハブを支持するものがある。上述したように回転機器を小型化するために、磁気ヘッドと記録ディスクとの間の空隙を例えば１０ｎｍ以下の極めて狭い空隙にして記録再生することが要請されている。また、回転機器の小型化にともない記録ディスク上のトラックピッチも狭くなっているのが現実である（例えば、特許文献１参照）。
【先行技術文献】
【特許文献】
【０００３】
【特許文献１】特開２００５−１２７４０５号公報
【発明の概要】
【発明が解決しようとする課題】
【０００４】
ところで、記録再生ヘッドと記録ディスクの表面との隙間をより狭くすると、記録ディスクの僅かな傾きにより、この隙間が大きく変化して記録再生ヘッドの出力信号の振幅が大きく変化することがある。このように、記録トラックのトレース状態が乱れたり、記録再生ヘッドの出力信号の振幅が変化すると、ハードディスクドライブのデータの記録再生時の誤動作の頻度の増加を招くおそれがある。また、回転機器の小型化にともないトラックピッチを狭くすると、記録再生ヘッドが振動した場合に記録ディスクの僅かな傾きが原因となり、記録トラックのトレースが乱れる可能性が高まる。したがって、記録ディスクを載置すべきハブは回転軸に対して傾きが抑制された状態にすることが要求される。
【０００５】
回転機器におけるシャフトとハブの接合方式の１つとして、ハブに設けた開口孔部にシャフトを締り嵌めにより結合するものがある。この場合、シャフトの直径より小さな直径を有する開口孔部にシャフトを挿入することになる。発明者らはシャフトをハブに挿入する際の挙動について、以下のような考察を得ている。ハブとシャフトとを締り嵌めにより結合しようとする場合、シャフトの先端部とハブの開口孔部の内周表面との間に摩擦力が発生する。摩擦力は開口孔部の内周表面に存在する微少な凸凹などの表面状態により大きく異なると考えられる。つまり部位毎の表面状態の違いにより摩擦力の偏りを生じる。例えば全周について考察した場合にある方向の摩擦力が大きく、対向する方向の摩擦力が小さい場合、摩擦力の小さい側の表面では挿入が進み易く、摩擦力の大きい側の表面では挿入が鈍る。その結果としてシャフトがハブに傾いて挿入され易くなると考えられる。
【０００６】
発明者らは、このような考察に基づき、回転軸に対するハブの傾きを抑制するためにはシャフトの先端部と開口孔部の内周表面との摩擦力の偏りを低減すればよいとの結論を得た。
【０００７】
そこで、本発明は上述した課題を解決するためになされたものであり、その目的は、ハブとシャフトとを結合する際の接合部における摩擦力の偏りを低減して回転軸に対するハブの傾きを抑制できる回転機器の製造方法を提供することにある。
【課題を解決するための手段】
【０００８】
上記課題を解決するために、本発明のある態様の回転機器の製造方法は、ハブと、ハブに形成された開口孔部に結合するシャフトと、を含む回転機器の製造方法であって、開口孔部におけるシャフトの挿入側端部の周縁近傍に液状物質を付着させるステップと、シャフトと挿入側端部とを接近させて液状物質をシャフトに接触させた後にシャフトと挿入側端部とを離反させるステップと、シャフトを挿入側端部から開口孔部における最終固定位置まで挿入するステップと、を含む。
【０００９】
ここで、ハブの開口孔部の直径はシャフトの直径より僅かに小さくてもよい。液状物質は潤滑性能を有するものが望ましく、例えば潤滑剤でもよい。また、硬化前の状態で潤滑性能を有する接着剤等の樹脂でもよい。この態様によると、開口孔部に付着している液状物質とシャフトとを接触させた後に離反する往復運動をさせることにより、シャフトの外周面と開口孔部の内径面との双方に液状物質が塗布される可能性が高まる。その結果、シャフトの挿入時の摩擦力の偏りが低減可能となり、回転軸に対するハブの接合姿勢の傾きが抑制できる。
【００１０】
なお、以上の構成要素の任意の組み合わせや、本発明の構成要素や表現を方法、装置、システムなどの間で相互に置換したものもまた、本発明の態様として有効である。
【発明の効果】
【００１１】
本発明によれば、ハブとシャフトとを結合する際の接合部における摩擦力の偏りを低減して回転軸に対するハブの傾きを抑制できる回転機器の製造方法が提供できる。
【図面の簡単な説明】
【００１２】
【図１】本実施形態の回転機器の製造方法を適用する一例であるディスク駆動装置（ＨＤＤ）の内部構成を説明する説明図である。
【図２】図１のディスク駆動装置の記録ディスクを回転駆動する部分を説明する説明図である。
【図３】本実施形態の回転機器の製造方法におけるハブとシャフトとの接合手順を説明する説明図である。
【図４】本実施形態の回転機器の製造方法におけるハブとシャフトとの接合のときに用いるシャフト固定装置の構成を説明する説明図である。
【図５】本実施形態の回転機器の製造方法におけるハブとシャフトとの接合のときに用いるハブ支持装置の構成及びハブとシャフトとの接合状態を説明する説明図である。
【図６】従来の回転機器の製造方法によりハブとシャフトを接合した場合と本実施形態の回転機器の製造方法によりハブとシャフトを接合した場合の接合姿勢の傾き状態を比較するためのデータを示す説明図である。
【発明を実施するための形態】
【００１３】
以下、本発明を好適な実施形態を図面に基づいて説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施形態を説明する上で重要ではない部材の一部は省略して表示する。
【００１４】
図１は、本実施形態の製造方法を適用する回転機器の一例であるディスク駆動装置１００の内部構成を説明する説明図である。なお、図１は、内部構成を露出させるためにトップカバーを取り外した状態を示している。
【００１５】
ベースプレート１０はアルミニウムの合金をダイカストにより成型して形成することができる。ベースプレート１０は、後述する軸受ユニットを介してハブ２０を回転自在に支持する。記録ディスク２００は、ハブ２０に載置され、ハブ２０の回転駆動に伴って回転する。データリード／ライト部３０は、記録再生ヘッド３０ａと、スイングアーム３０ｂと、ピボットアセンブリ３０ｃと、ボイスコイルモータ３０ｄと、を含む。記録再生ヘッド３０ａは、スイングアーム３０ｂの先端部に取り付けられ、記録ディスク２００に磁気的にデータを記録し、記録ディスク２００からデータを読み取る。ピボットアセンブリ３０ｃは、スイングアーム３０ｂをベースプレート１０に対してヘッド回転軸の周りに揺動自在に支持する。ボイスコイルモータ３０ｄは、スイングアーム３０ｂをヘッド回転軸の周りに揺動させ、記録再生ヘッド３０ａを記録ディスク２００の記録面上の所望の位置に移動させる。データリード／ライト部３０は、ヘッドの位置を制御する公知の技術を用いて構成される。
【００１６】
図２は、図１のＡ−Ａ線断面図であり、本実施形態の製造方法を適用したハブとシャフトの組立体を含むディスク駆動装置１００の概略断面図である。  
ディスク駆動装置１００は、固定ユニットＳ、回転ユニットＲを含む。固定ユニットＳは、ベースプレート１０、ステータコア１２、ハウジング１４、スリーブ１６を含む。回転ユニットＲは、ハブ２０、シャフト２２、マグネット２４、スラスト部材２６を含む。ベースプレート１０は、円筒部１０ａを含み、ハウジング１４は、溝１４ａ、底部１４ｂ、ハウジング筒部１４ｃ、ハウジング平坦部１４ｄを含む。スリーブ１６は、円筒部内周面１６ａ、周状張出部１６ｂ、スリーブ筒部１６ｃを含み、ステータコア１２には、コイル１８が巻きつけられている。本実施形態においてハブ２０とシャフト２２は回転体３００を構成する。ハブ２０は、開口孔部２０ａ、円環部２０ｂ、載置座部２０ｃ、台座部２０ｄを含む。ハブ２０の開口孔部２０ａの内周面とシャフト２２の外周面２２ａとが後述する接合方法を用いた締り嵌めにより接合され、ハブ２０とシャフト２２とは実質的に一体部品となり回転体３００を構成する。なお、以下の説明では、全体として、便宜上説明図に示された下方を下、上方を上と表現する。
【００１７】
ベースプレート１０は、中心部分の孔部１０ｂと、この孔部１０ｂを囲むように設けられた円筒部１０ａとを有する。ベースプレート１０は、孔部１０ｂによってハウジング１４を保持する。また、ベースプレート１０は、ハウジング１４を環囲する円筒部１０ａの外周側にステータコア１２を固着する。なお、ハウジング１４の外周側と、円筒部１０ａの内周側との間に環状の第１領域部４０が形成されている。第１領域部４０は、ベースプレート１０の孔部１０ｂを囲むような形状を有する。ベースプレート１０は、アルミダイキャストを切削加工するか、アルミ板をプレス加工またはプレス加工した鉄板にニッケルメッキを施して形成することができる。
【００１８】
ステータコア１２は、円筒部１０ａの外周面に固着される。ステータコア１２は、ケイ素鋼板等の磁性材が積層された後、表面に電着塗装や粉体塗装等による絶縁コーディングが施されて形成される。また、ステータコア１２は、図示を省略するが外方向に突出する複数の突極を有するリング状であり、各突極にはコイル１８が巻回されている。突極数は、例えばディスク駆動装置１００が３相駆動であれば９極とされる。突極は、コイル１８が巻かれる棒状体と、棒状体の径方向外側に設けられ、周方向に延在する歯部とを有する。歯部の外周面は、円弧形状に形成される。
【００１９】
コイル１８の巻き線端末は、ベースプレート１０の底面に配設されたＦＰＣ（フレキシブル基板）上に半田付けされている。引き出された線端末は解けないように接着剤で固定される。この固定は、超音波洗浄時等に線端末が共振し大きな振幅で振動し断線することを防止するためになされる。所定の駆動回路によりＦＰＣを通じて３相の略正弦波状の電流がコイル１８に通電されると、コイル１８はステータコア１２の突極に回転磁界を発生する。マグネット２４の駆動用磁極と、当該回転磁界との相互作用により回転駆動力が生じ、回転ユニットＲが回転する。
【００２０】
なお、リング状のマグネット２４の軸方向下端面と隙間を介して対向するベースプレート１０上の位置に吸引プレート４４が固定されている。吸引プレート４４は、リング状の部材であり、軟磁性材料で例えば冷間圧延鋼板をプレスすることで形成される。吸引プレート４４はマグネット２４と間に軸方向の磁気的吸引力を生じる。つまり、吸引プレート４４は回転ユニットＲが回転時に受ける浮上力と逆方向の回転体吸引力を生じさせる。そして、回転ユニットＲの回転時に浮上力と回転体吸引力と回転ユニットに加わる重力とがバランスして周囲の部材と非接触で当該回転ユニットＲが回転するようにしている。
【００２１】
ハウジング１４は、円筒部１０ａの孔部１０ｂの内周面に接着または圧入により固着される。また、ハウジング１４は、底部１４ｂとハウジング筒部１４ｃとで構成される。より具体的には、スリーブ１６を環囲するハウジング筒部１４ｃと、底部１４ｂと逆側の端部に設けられアキシャル方向の面を有するハウジング平坦部１４ｄと、ハウジング筒部１４ｃのうちのハウジング平坦部１４ｄとは反対側の端部を密閉する底部１４ｂとを結合した略カップ状をなす。このような形状によって、ハウジング１４は、スリーブ１６の下端を塞ぎ、かつスリーブ１６の上端を突出させるように配置する。なお、底部１４ｂとハウジング筒部１４ｃとが一体に形成されてもよく、底部１４ｂとハウジング筒部１４ｃとが別の部材として固着して形成されてもよい。ハウジング１４は、銅系の合金、粉末冶金による焼結合金、ステンレスのほか、ポリエーテルイミド、ポリイミド、ポリアミドなどのプラスチック材料によっても形成されてもよい。ハウジング１４にプラスチック材料を用いる場合は、ディスク駆動装置１００の静電気除去性能を確保するため、固有抵抗が１０の６乗（Ω・ｍ）以下となるよう、プラスチック材料にカーボン繊維を含ませて構成することが望ましい。
【００２２】
ハウジング１４の内周面には、アキシャル方向に延在する溝１４ａが形成されている。この溝１４ａは、ハウジング筒部１４ｃ内にスリーブ１６を嵌合させた際、ハウジング１４の両端面側を連結する連通孔となる。連通孔は、潤滑剤２８が充填されることによって連通路Ｉとなる。溝１４ａの断面形状は、凹んだ円弧状や矩形状とすることができる。この連通路Ｉについては後述する。
【００２３】
スリーブ１６は、ハウジング１４の内周面に接着または圧入により固着され、ベースプレート１０の中心部分の孔部１０ｂと同軸に固定されている。また、スリーブ１６は、シャフト２２を収納することによってシャフト２２を支承する環状のスリーブ筒部１６ｃと、スリーブ筒部１６ｃの回転体３００側端部において外径方向に延在された周状張出部１６ｂとを結合した形状を有する。また、スリーブ筒部１６ｃの内部に、円筒部内周面１６ａが形成されており、円筒部内周面１６ａがシャフト２２を囲む。周状張出部１６ｂとスリーブ筒部１６ｃとが一体に形成されてもよいし、周状張出部１６ｂとスリーブ筒部１６ｃとが別の部材として固着して形成されてもよい。なお、周状張出部１６ｂと、ハウジング筒部１４ｃとの間に環状の第２領域部４２が形成されている。スリーブ１６は、銅系の合金、粉末冶金による焼結合金、ステンレスのほか、ポリエーテルイミド、ポリイミド、ポリアミドなどのプラスチック材料によっても形成される。スリーブ１６にプラスチック材料を用いる場合は、ディスク駆動装置１００の静電気除去性能を確保するため、固有抵抗が１０の６乗（Ω・ｍ）以下となるよう、プラスチック材料にカーボン繊維を含ませて構成する。また、粉末冶金による焼結合金でスリーブ１６を形成する場合、スリーブ１６は多孔質性を有することができるので部品の軽量化に寄与できる。ただし、スリーブ１６が多孔質性を有する場合でスリーブ１６の一部がベースプレート１０から露出するような構造の場合、ディスク駆動装置１００の内部側に充填された清浄空気、例えばヘリウムを多く含むような空気が多孔質性に起因して外部に抜けてしまうことがある。スリーブ１６の一部が外部に露出するような構成を成す場合は、露出した多孔質部分を塞ぐ処理を施しておくことが望ましい。例えば、露出部分の表面に樹脂等で構成されるシール部材を塗布したり、酸化処理を施してもよい。また、図２に示すように、他の部品、例えばハウジング１４等で塞いだり、他の部材を変形させて封止するようにしてもよい。
【００２４】
回転体３００の下面側、つまりスリーブ１６と対向する側には、スラスト部材２６を固定するための固定ブラケット２０２が固定されている。固定ブラケット２０２は、接着剤等を用いて強固に固定されている。固定ブラケット２０２の形状や固定方法については後述する。なお、固定ブラケット２０２とハブ２０とは一体に形成されてもよい。例えば、プレス加工や切削加工により形成することができる。この結果、固定ブラケット２０２の回転体３００に対する結合強度が向上する点で有利である。固定ブラケット２０２の内周面にスラスト部材２６が固着される。また、回転体３００の円環部２０ｂの内周面にマグネット２４が固着される。マグネット２４は、ベースプレート１０に固着されたステータコア１２に対向するように、シャフト２２と同心状態で固着される。
【００２５】
スラスト部材２６は、スリーブ１６を環囲するフランジ部２６ｅと、ハウジング１４を環囲する下垂部２６ｃとを有する。フランジ部２６ｅは、固定ブラケット２０２の内壁に接着剤で固着され、下垂部２６ｃは、フランジ部２６ｅの外縁部分に結合されるとともに固定ブラケット２０２の内壁に接着剤で固着される。このようにして、フランジ部２６ｅは、スリーブ筒部１６ｃの外周を隙間を介して囲み、かつ周状張出部１６ｂの下面に狭い隙間を介して配置される。スラスト部材２６は、回転体３００と一体的に回転するが、その際、フランジ部２６ｅは、第２領域部４２内で回転し、下垂部２６ｃは、第１領域部４０内で回転する。
【００２６】
フランジ部２６ｅは、スラスト上面とスラスト下面とを有するアキシャル方向に薄い形状を有する。また、下垂部２６ｃは、フランジ部２６ｅの外周側下面にアキシャル方向に延びる。フランジ部２６ｅのスラスト下面とハウジング１４の上端部であるハウジング平坦部１４ｄとで第１スラスト動圧発生部（第１スラスト動圧軸受ＳＢ１）を構成し、フランジ部２６ｅのスラスト上面と周状張出部１６ｂの下面とで第２スラスト動圧発生部（第２スラスト動圧軸受ＳＢ２）を構成する。下垂部２６ｃのアキシャル方向の長さはフランジ部２６ｅのアキシャル方向の長さよりも長い。また、下垂部２６ｃの内周面２６ｄは、フランジ部２６ｅの逆側に向かって半径が小さくなるテーパ状を有しており、後述するキャピラリーシール部ＴＳを構成する。
【００２７】
スラスト部材２６は、スラスト動圧発生部を構成する他に、回転ユニットＲが固定ユニットＳから抜けることを防止する機能を有する。衝撃によって、回転ユニットＲと固定ユニットＳとが相対的に移動すると、フランジ部２６ｅは周状張出部１６ｂの下面と接触する。その結果、スラスト部材２６は、固定ブラケット２０２から外れる方向に応力を受ける。下垂部２６ｃと固定ブラケット２０２のアキシャル方向の接合距離が短いと、接合強度が弱くなるので、小さな衝撃でも、接合が破壊される可能性が高くなる。つまり、下垂部２６ｃと固定ブラケット２０２との接合距離を長くするほど、衝撃に強くなる。
【００２８】
一方、フランジ部２６ｅが厚くなると、キャピラリーシール部ＴＳが短くなり、キャピラリーシール部ＴＳにおいて保持可能な潤滑剤２８の容量が小さくなる。そのため、衝撃によって、潤滑剤２８が飛散すると直ちに潤滑剤不足となる可能性がある。潤滑剤不足によって、流体動圧軸受は機能を低下させ焼き付きなどの機能不全を生じやすくなる。そこで本実施形態のディスク駆動装置１００は、フランジ部２６ｅを薄くすることによって、キャピラリーシール部ＴＳを上下方向に長くしている。その結果、保持可能な潤滑剤２８の量が大きくなり、衝撃によって、もし潤滑剤２８が飛散しても容易には潤滑剤不足とならないように構成している。つまり、スラスト部材２６のアキシャル方向の距離は、下垂部２６ｃに対して長く、フランジ部２６ｅに対して短くなるように設計される。
【００２９】
下垂部２６ｃの外周面は固定ブラケット２０２の内周面に圧入により固着する方法があるが、下垂部２６ｃが圧入により応力を受けると、下垂部２６ｃの内周面に変形を生じ、この変形のためキャピラリーシール部ＴＳの機能が損なわれるおそれがある。これに対応するために、前述のごとく、下垂部２６ｃの外周面は、固定ブラケット２０２の内周面より小径とし、両者を接着により固着する。その結果、下垂部２６ｃの変形が防止され、キャピラリーシール部ＴＳの機能は十分に発揮される。
【００３０】
マグネット２４は、円環部２０ｂの内周に固着されて、ステータコア１２の外周に狭い隙間を介して対向するように設けられる。マグネット２４は、Ｎｄ−Ｆｅ−Ｂ（ネオジウム−鉄−ボロン）系の材料で形成され、表面には電着塗装やスプレー塗装が施され、内周側は１２極に着磁されている。
【００３１】
次に、ディスク駆動装置１００の構成における流体動圧軸受について説明する。ラジアル方向の流体動圧軸受は、シャフト２２の外周面２２ａと、スリーブ１６の円筒部内周面１６ａと、両者の間隙に充填されたオイル等の潤滑剤２８とを含んで構成されるラジアル動圧発生部を含む。ラジアル動圧発生部は、アキシャル方向に離隔して、ハブ２０から遠い方に第１ラジアル動圧軸受ＲＢ１を配置し、ハブ２０から近い方に第２ラジアル動圧軸受ＲＢ２を配置する。第１ラジアル動圧軸受ＲＢ１と第２ラジアル動圧軸受ＲＢ２は、円筒部内周面１６ａと外周面２２ａとの隙間に設けられて、ラジアル方向の動圧を発生して回転ユニットＲを支持する。第１ラジアル動圧軸受ＲＢ１と第２ラジアル動圧軸受ＲＢ２は、対向する外周面２２ａと円筒部内周面１６ａとの少なくとも一方に、動圧を発生させるための第１ラジアル動圧溝、第２ラジアル動圧溝が形成されている。この動圧溝は、例えばヘリングボーン状に形成される。
【００３２】
回転ユニットＲが回転すると、ラジアル動圧溝がラジアル動圧を発生させ、当該ラジアル動圧によりシャフト２２はスリーブ１６に対してラジアル方向に所定の間隙を有して支持される。本実施形態の場合、第１ラジアル動圧溝のアキシャル方向の形成幅が、第２ラジアル動圧溝のアキシャル方向の形成幅よりも狭く形成されている。これにより、シャフト２２のアキシャル方向で異なる強さの側圧に対応したラジアル動圧が、第１ラジアル動圧軸受ＲＢ１と第２ラジアル動圧軸受ＲＢ２で発生する。その結果、高いシャフト剛性と低いシャフトロスとの最適バランスが得られる。
【００３３】
一方、スラスト方向の動圧軸受は、第１スラスト動圧軸受ＳＢ１、第２スラスト動圧軸受ＳＢ２を含む。ここで、第１スラスト動圧軸受ＳＢ１、すなわち第１スラスト動圧発生部は、フランジ部２６ｅのスラスト下面とハウジング１４の上端部と、それらのアキシャル方向の間隙に充填された潤滑剤２８とによって形成される。また、第２スラスト動圧軸受ＳＢ２、すなわち第２スラスト動圧発生部は、フランジ部２６ｅのスラスト上面と周状張出部１６ｂの下面と、それらのアキシャル方向の間隙に充填された潤滑剤２８によって形成される。
【００３４】
これらのアキシャル方向の間隙の少なくとも一方の対向面に動圧を発生させるためのスラスト動圧溝（図示せず）が形成されている。このスラスト動圧溝は、例えばスパイラル状またはヘリングボーン状に形成される。スラスト動圧軸受ＳＢは、回転ユニットＲの回転にともなって、全体としてはポンプイン方向の動圧を発生し、この圧力によりアキシャル方向の力、つまり浮上力を回転ユニットＲに作用させる。第１ラジアル動圧軸受ＲＢ１、第２ラジアル動圧軸受ＲＢ２、第１スラスト動圧軸受ＳＢ１，第２スラスト動圧軸受ＳＢ２における間隙に充填された潤滑剤２８は、互いに共用されるとともに、キャピラリーシール部ＴＳによりシールされて外部への漏出が防止されている。
【００３５】
キャピラリーシール部ＴＳは、ハウジング１４の外周面１４ｅとスラスト部材２６の内周面２６ｄとによって構成されている。外周面１４ｅは、上面側から下面側へ向かうにしたがって小径となるような傾斜面を有する。一方、これに対向する内周面２６ｄも、上面側から下面側に向かうにしたがって小径となるような傾斜面を有する。
【００３６】
このような構成によって、外周面１４ｅおよび内周面２６ｄは、それらの隙間が上面側から下面側に向かうにしたがって拡がるような、キャピラリーシール部ＴＳを形成する。ここで、キャピラリーシール部ＴＳの途中に、潤滑剤２８と外気との境界面（液面）が位置するように、潤滑剤２８の充填量が設定されているので、毛細管現象により潤滑剤２８は、このキャピラリーシール部ＴＳによりシールされる。その結果、潤滑剤２８の外部への漏出が防止されている。つまり、潤滑剤２８は、第１ラジアル動圧軸受ＲＢ１、第２ラジアル動圧軸受ＲＢ２、第１スラスト動圧軸受ＳＢ１、第２スラスト動圧軸受ＳＢ２を含み、さらにハウジング１４とスラスト部材２６との間の空間、周状張出部１６ｂと固定ブラケット２０２との間の空間等を含む潤滑剤保持部に充填されることになる。
【００３７】
また、キャピラリーシール部ＴＳは、外側の傾斜面である内周面２６ｄが上面側から下面側に向かうにしたがって小径となるように設定されている。そのため、回転ユニットＲの回転にともない、潤滑剤２８には、それが充填された部分の内部方向に移動させる方向の遠心力が作用するので、外部への漏出がより確実に防止される。また、連通路Ｉは、ハウジング１４の内周面にアキシャル方向に形成された溝１４ａにより確保される。連通路Ｉにより、第１ラジアル動圧軸受ＲＢ１および第２ラジアル動圧軸受ＲＢ２の両側が連通されているので、ラジアル動圧軸受の単独の圧力バランスが崩れても、全体の圧力バランスが直ちに調整され良好に維持される。また、回転ユニットＲに外部から力が加わるなどの外乱によって、第１ラジアル動圧軸受ＲＢ１、第２ラジアル動圧軸受ＲＢ２、スラスト動圧軸受ＳＢにおける動圧のバランスが崩れても、即座に圧力が平均化されてバランスが維持される。その結果、固定ユニットＳに対する回転ユニットＲの浮上量が安定し、信頼性の高いディスク駆動装置１００が得られる。
【００３８】
このように構成されるディスク駆動装置１００におけるハブ２０とシャフト２２は、上述したようにシャフト２２の回転軸に対してハブ２０が直角に接合されること望ましい。図３（ａ）〜図３（ｆ）を用いて、本実施形態の回転機器の製造方法に従うハブ２０とシャフト２２の接合工程を詳細に説明する。なお、図３（ａ）〜図３（ｆ）におけるハブ２０とシャフト２２の形状は簡略化しているため図２の形状と異なるが、基本的な機能については同等である。
【００３９】
本実施形態においてハブ２０の開口孔部２０ａの直径は２．０８３ｍｍで、シャフト２２の直径２．１ｍｍより僅かに小さくして、両者を締り嵌めにより結合できるようにしている。
【００４０】
ハブ２０とシャフト２２との接合工程では、まず、図３（ａ）に示すように、ハブ２０に設けた開口孔部２０ａのうちシャフト２２の挿入側端部２０ｅの周縁近傍に液状物質３２を付着させる。これを液状物質付着ステップという。本実施形態において用いる液状物質３２は、ハブ２０にシャフト２２を挿入する際の摩擦力を軽減するための潤滑機能を有する液体であることが望ましい。例えば、液状物質３２は硬化性樹脂とすることができる。液状物質３２を硬化性樹脂、つまり接着剤とすることで、ハブ２０とシャフト２２との接合時に潤滑機能を発揮して姿勢の傾きを抑制できる。また、硬化性樹脂が開口孔部２０ａとシャフト２２の外周面２２ａとの間に介在して硬化することで、ハブ２０とシャフト２２の接合姿勢の維持及び接合強度の増強に寄与できる。なお、硬化性樹脂としては、既知の種々の樹脂が適用できる。例えば、硬化性樹脂として嫌気硬化性を有する接着剤を用いた場合、ハブ２０にシャフト２２を挿入することで硬化を開始するから作業性が良い点で好ましい。また、液状物質３２として接着機能を有さない潤滑剤を用いてもよい。この場合、潤滑剤は作業時に液だれしない程度の粘度を有することが望ましい。また、潤滑剤は、ハブ２０とシャフト２２との接合後、気化してハブ２０とシャフト２２との接合強度に影響しないものが望ましい。なお、気化した物質はハブ２０等の構成部材に付着しないように配慮することが望ましい。また、付着した場合でもディスク駆動装置１００の性能に影響しない物質で構成される潤滑剤を選択することが望ましい。
【００４１】
液状物質付着ステップにおいて、液状物質３２は開口孔部２０ａの周方向に断続させて付着させてもよいし、周方向に連続させて付着させてもよい。断続付着させる場合は、液状物質３２の使用量の低減に寄与できる。また、周方向に連続させて付着させる場合、シャフト２２の挿入時の摩擦力が周方向で偏りにくいと共に、後述する転移ステップにおいてシャフト２２に液状物質３２が容易に転移できる点で好ましい。
【００４２】
ところで、開口孔部２０ａの挿入側端部２０ｅに付着させた液状物質３２は表面張力により保持されるが、開口孔部２０ａの内周面の挿入側端部２０ｅが鋭角であると保持できる液状物質３２の量が少なくなる。保持されている液状物質３２の量が少ないと転移ステップでシャフト２２が液状物質３２に接しないことがある。本実施形態においては、内周面の挿入側端部２０ｅは軸方向外側に向かって拡形する傾斜面（テーパ面）を有している。この形状の場合、挿入側端部２０ｅが鋭角である場合より液状物質３２を多く保持できて転移ステップでシャフト２２が液状物質３２に容易に接し得る点で有利である。また、シャフト２２を開口孔部２０ａに挿入する際の案内となるので、作業効率の向上に寄与できる。
【００４３】
次に、図３（ｂ）に示すように、シャフト２２とハブ２０を接近させて、図３（ｃ）に示すように、ハブ２０の挿入側端部２０ｅに付着させた液状物質３２にシャフト２２の挿入側シャフト端部２２ｂを接触させる。この接触により液状物質３２の一部が挿入側シャフト端部２２ｂに転移される。続いて、図３（ｄ）に示すように、シャフト２２を挿入側端部２０ｅに付着している液状物質３２から一旦離反させる。この離反動作によりシャフト２２の挿入側シャフト端部２２ｂに転移された液状物質３２が挿入側シャフト端部２２ｂで周方向を含む端部近傍領域に広がり馴染むことで偏在を軽減することができる。なお、このとき、開口孔部２０ａの孔中心とシャフト２２の回転軸との軸合わせ状態が維持または復帰できる場合、離反させたときにシャフト２２に超音波振動等適宜振動を与えることにより転移された液状物質３２の広がりを促進するようにしてもよい。
【００４４】
また、図３（ｂ）〜図３（ｄ）の接近及び離反動作は１回でもよいが、接近及び離反の往復運動を複数回行うことによりシャフト２２への液状物質３２の転移を確実に行うことができる。なお、往復運動の回数が多すぎると作業時間が多くかかり生産効率が低くなる。往復運動の実行回数は製造工程のタクトタイムにもよるが、タクトタイム内で１０回以下とすることで作業効率が実用上問題とならない範囲であることが確認されている。本実施形態においては、往復運動を２回または３回実行するようにしている。この回数設定は、不良率が抑えられると共に作業効率も実用上問題とならない点で好ましい。この工程を転移ステップという。
【００４５】
また、往復運動を複数回行う場合、開口孔部２０ａの孔中心とシャフト２２の回転軸との軸合わせ状態が維持または復帰できる場合、往復運動のたびにハブ２０とシャフト２２の少なくとも一方をシャフト２２の回転軸の回りで回転させて相対位置を変化させるようにしてもよい。この場合、挿入側端部２０ｅ側の液状物質３２が挿入側シャフト端部２２ｂの異なる位置に転移可能となり、液状物質３２を挿入側シャフト端部２２ｂの周方向に偏在することなく効率よく転移させることができる。
【００４６】
挿入側シャフト端部２２ｂに液状物質３２の転移が完了したら、図３（ｅ）に示すように、ハブ２０の開口孔部２０ａにシャフト２２の挿入を開始する。この工程を結合ステップという。結合ステップにおいて、開口孔部２０ａの内周面とシャフト２２の外周面２２ａには大きな応力が生じる。そして、その応力の大ききに応じて摩擦力が発生する。前述したように、この摩擦力は表面の領域ごとにその表面粗度などにより大きく偏って生じる。摩擦力が周方向で偏るとその偏りの方向に応じてハブ２０はシャフト２２に対して傾いて挿入され、挿入後のシャフト２２を基準にしたハブ２０の直角度が低下して、許容範囲を超えて不良品となる比率が高くなる。本実施形態の場合、液状物質３２は潤滑性を有している。つまり液状物質３２がハブ２０とシャフト２２との間に介在することで両者間の摩擦係数を低減する性質を有している。液状物質３２は、前述したように硬化性樹脂の他に潤滑剤でもよい。液状物質３２は、開口孔部２０ａの内周面とシャフト２２の外周面２２ａの間で潤滑膜を形成する。この潤滑膜は金属同士の直接接触を軽減して摩擦係数を低く抑え、挿入時およびその後のハブ２０とシャフト２２との直角度の低下を抑え得る。
【００４７】
ところで、本実施形態の場合、外周面２２ａに対してシャフト２２を一気に挿入するのではなく段階的に挿入する。具体的には、シャフト２２をハブ２０の接合完了位置、つまり、最終固定位置２０ｆと挿入側端部２０ｅとの間の中間位置でシャフト２２の挿入を所定の時間静置させた後、最終固定位置２０ｆまで挿入している。図３（ｅ）は、中間位置における静置状態を示している。
【００４８】
結合ステップにおいて、開口孔部２０ａにシャフト２２を最終固定位置２０ｆまで一気に挿入して結合すると、ハブ２０とシャフト２２の接合時の直角度が許容範囲に収まらない場合がある。これは、ハブ２０やシャフト２２を支持する装置に僅かな同軸のずれがあり、最終固定位置２０ｆまで一気に挿入すると、この同軸のずれに起因して直角度が悪化することによるものと考えられる。そこで、本実施形態においては、上述したように、結合ステップは、シャフト２２を開口孔部２０ａの最終固定位置２０ｆより浅い中間位置まで挿入した状態で所定の時間静置してその後に最終固定位置２０ｆまで挿入するようにしている。中間位置まで挿入した状態で静置することで、ハブ２０やシャフト２２等のワークを支持する装置とワークとの間のクリアランスにより調芯がなされ、開口孔部２０ａがシャフト２２の外周面２２ａに倣うようになる。この結果、ハブ２０とシャフト２２との直角度が改善される。
【００４９】
なお、挿入側端部２０ｅから中間位置までの距離が短すぎる場合、開口孔部２０ａがシャフト２２の外周面２２ａに倣わない場合がある。また中間位置が挿入側端部２０ｅから深すぎると非調芯状態での挿入となりハブ２０の直角度を補正する効果が小さくなる。適正な中間位置は、中間位置をパラメータとして挿入後のシャフト２２を基準にしたハブ２０の直角度により実験により定めることができる。中間位置が挿入側端部２０ｅから軸方向で０．０５ｍｍから０．５ｍｍの範囲に設定した場合、シャフト２２を基準にしたハブ２０の直角度を改善できる効果が確認されている。本実施形態において中間位置は挿入側端部２０ｅから軸方向で０．１から０．２ｍｍの範囲としている。この設定値はハブ２０の直角度のばらつきを抑え得る点で好ましい。
【００５０】
また、中間位置における静置時間が短すぎると開口孔部２０ａがシャフト２２の外周面２２ａに倣いきらない場合がある。ハブ２０の直角度を改善し得る静置時間は実験により定めることができる。実験によれば、静置時間は、０．０１秒以上とすることでハブ２０の直角度を改善できる効果が確認されている。一方、静置時間が長すぎると作業時間が長くなり作業効率が低下する。静置時間は、５秒以下とすることで作業効率が実用上問題とならない範囲であることが確認されている。本実施形態において静置時間は１〜２秒の範囲としている。この値に設定することで、ハブ２０の直角度のばらつきを抑えつつ作業効率を損なわない点で好ましい。
【００５１】
上述のように所定時間静置した後、図３（ｆ）に示すように、シャフト２２を最終固定位置２０ｆまで挿入して結合を完了する。この場合、液状物質３２がシャフト２２と開口孔部２０ａの周方向にほぼ均されて介在するから、シャフト２２の挿入時の摩擦力が周方向で偏りにくく、傾いて結合される可能性が軽減される。
【００５２】
なお、上述の結合ステップにおいては、置き台の上面にハブ２０を載置して、ハブ２０の開口孔部２０ａに上からシャフト２２を降下させて挿入するようにしてもよい。ただし、この方法では開口孔部２０ａの内周面の挿入側端部２０ｅに付着させた液状物質３２が重力により下側、つまり最終固定位置２０ｆ側に寄ってしまい、シャフト２２をハブ２０に接近させても液状物質３２に接しないことがある。本実施形態の結合ステップは、シャフト２２に対してハブ２０を上方から移動させて開口孔部２０ａにシャフト２２を挿入している。例えば、図３（ｂ）に示す例の場合、図示を省略したシャフト固定装置に装着したシャフト２２の上側から図示を省略したハブ支持装置で下側に向けて支持したハブ２０を被せるようにしている。この場合、液状物質３２は開口孔部２０ａの内周面の挿入側端部２０ｅに表面張力により下向きに保持される。その結果、シャフト２２が液状物質３２に容易に接し得る点で有利である。
【００５３】
本実施形態においては、シャフト２２を半径方向に固定した状態でハブ２０に挿入するようにしている。図４（ａ）〜図４（ｃ）は、本実施形態で使用するシャフト固定装置の概略構造を示している。図４（ａ）は、シャフト２２を半径方向に挟んで固定するシャフト固定装置３４を上側から見た概略図である。シャフト固定装置３４は、中央にシャフト２２の直径より僅かに直径の小さな支持孔３４ａが形成され、この支持孔３４ａに至る割溝３４ｂが形成された円柱形状のチャック本体３４ｃからなる。チャック本体３４ｃは割溝３４ｂを拡形したときの変形を吸収するための補助割溝３４ｄを少なくとも１つ有する。本実施形態の場合、補助割溝３４ｄを２つ形成した例を示している。図４（ｂ）は、シャフト固定装置３４の縦断面図である。支持孔３４ａの内部には、図４（ｂ）に示すように、シャフトストッパ３４ｅが配置され、上方から挿入されたシャフト２２の高さ方向の位置決めが正確にできるようになっている。シャフトストッパ３４ｅにより支持され、チャック本体３４ｃから突出するシャフト２２の長さは、ハブ２０に挿入されるシャフト２２の先端部の長さより僅かに長くなるように調整することが望ましい。
【００５４】
シャフト２２を挿入する際には、図４（ｃ）に示すようにアクチュエータ３６により開閉可能なアーム３８の先端を割溝３４ｂの端部に形成された挿入口３４ｆに係合させてアーム３８を拡開させる。アーム３８の一端側をアクチュエータ３６により閉じることにより開閉軸３８ａを挟んだ他端側が拡開して割溝３４ｂを押し広げる。その結果、支持孔３４ａがシャフト２２の直径より拡径してシャフト２２を容易に受け入れ可能となる。シャフト２２をシャフトストッパ３４ｅに当接させた後、アーム３８を閉じることにより支持孔３４ａが縮径してシャフト２２は、支持孔３４ａに半径方向に固定されてチャックを完了する。このように、シャフト２２の軸方向の大部分をチャック本体３４ｃによって囲い込むように支持することによりシャフト２２をシャフト固定装置３４に直角に起立姿勢で保持できる。そして、シャフト２２を半径方向への変位を規制した状態で開口孔部２０ａに挿入することで直角度を有するハブ２０とシャフト２２との結合を容易にできる。
【００５５】
図５（ａ）、図５（ｂ）には、ハブ２０を支持するハブ支持装置５０とシャフト２２をチャッキングするシャフト固定装置３４を用いて本実施形態の回転機器の製造方法を実施する例を説明している。ハブ支持装置５０は、ハブ２０を半径方向に移動可能に支持した状態でシャフト２２を挿入するようにしている。図５（ａ）に示すハブ支持装置５０は、ハブ２０を支持した状態で半径方向、すなわち任意の水平方向に移動可能な構造を有する。ハブ支持装置５０は、ハブ２０を例えば、真空吸着した状態でシャフト２２の回転軸とハブ２０の開口孔部２０ａの中心が一致するように水平方向に自由に移動できるようにばねなどの弾性体で構成されるフリー移動機構を有している。また、パルスモータ等の駆動手段により水平方向に移動させてもよい。このように、ハブ２０を半径方向へ変位可能に支持した状態で開口孔部２０ａにシャフト２２を挿入することで直角度を有するハブ２０とシャフト２２との結合を容易にできる。
【００５６】
液状物質３２を開口孔部２０ａに塗布する液状物質付着ステップは、ハブ２０をハブ支持装置５０で支持した後でもよいし、支持する前でもよい。また、転移ステップは、ハブ支持装置５０をシャフト固定装置３４に接近するように移動させてもよいし、シャフト固定装置３４をハブ支持装置５０に接近するように移動させてもよい。また、双方を移動させてもよい。ただし、接合の安定性を考慮すると、シャフト固定装置３４を固定してハブ支持装置５０を上下方向に往復運動させて、転移ステップおよび結合ステップを実施することが望ましい。
【００５７】
結合ステップにおいては、図５（ｂ）に示すように、挿入方向に進退するリング状のハブパッド５２を降下させて中間位置および最終固定位置２０ｆまでシャフト２２を圧入するための結合圧力を発生させる。このとき、ハブ支持装置５０は水平方向に移動可能に構成されているので、開口孔部２０ａはシャフト２２の外周面２２ａにガイドされて同軸のずれが軽減され調芯された状態となり、ハブ２０とシャフト２２の直角結合が高精度で実施できる。なお、シャフト２２を挿入側端部２０ｅから挿入する場合、ハブパッド５２のみではなくハブ支持装置５０全体を挿入方向に移動させてもよい。
【００５８】
上述の例は、ハブ支持装置５０全体が水平方向に移動可能な構造であることを説明したが、ハブ２０のみが水平方向に移動できるように構成してもよい。例えば、ハブ支持装置５０は、ハブ２０の半径方向に支持隙間を有するように支持部を構成すると共に、真空吸着力を適宜加減調整できるようにしてもよい。この場合、ハブ支持装置５０自体は移動しなくてもハブ２０のみがハブ支持装置５０に対し水平方向に移動可能となる。また、ハブ２０を押圧するハブパッド５２の押圧面に真空吸着機構を設けると共に、ハブ２０とハブ支持装置５０との間にハブ２０の半径方向の支持隙間を設けてもよい。この場合、ハブパッド５２と共にハブ２０がハブ支持装置５０の本体に対して水平方向に移動可能となる。
【００５９】
また、上述のようにハブ２０が水平方向に移動可能なようにハブ支持装置５０を構成することにより、転移ステップにおいてシャフト２２と開口孔部２０ａとを調芯するようにしてもよい。すなわち、転移ステップにおいて、ハブ２０とシャフト２２とが接近及び離反の往復運動を行うことにより、ハブ２０は、半径方向においてハブ支持装置５０の水平移動範囲または支持隙間の範囲で移動して、シャフト２２と開口孔部２０ａとが自動的に調芯されるようにしてもよい。また、転移ステップの際にハブ２０の真空吸着を一時的に解除してシャフト２２に対してハブ２０をフリー状態にして調芯するようにしてもよい。すなわち、転移ステップの際に、シャフト２２を固定したシャフト固定装置３４にハブ２０を支持したハブ支持装置５０を接近させる。そして、ハブ２０とシャフト２２とが接触した時点で、ハブ支持装置５０の真空吸着を一時的に解除すると同時に、ハブ２０の平面がシャフト２２の中心軸と垂直になるように、ハブパッド５２でハブ２０の挿入側端部２０ｅにシャフト２２が挿入されない程度に押し付ける。その後、再度真空吸着することにより、シャフト２２とハブ２０とを離反させる。その結果、ハブ２０とシャフト２２との接離動作のたびに両者の調芯が可能になり調芯精度を向上することができる。なお、真空吸着の一時解除による調芯は、複数回行ってもよいし、接離動作のうちいずれかの１動作で行ってもよい。このように、転移ステップで調芯を行うことにより、結合ステップの最初の段階で既にハブ２０とシャフト２２の調芯が可能となり、シャフト２２を挿入側端部２０ｅにスムーズに挿入できる。
【００６０】
図６（ａ）は、従来の回転機器の製造方法によりハブ２０とシャフト２２を接合した場合の接合姿勢の傾き状態を示すデータである。図６（ａ）の場合、本実施形態のような液状物質３２の液状物質付着ステップや複数回の転移ステップ、段階的な結合ステップを実行することなく、シャフト２２をハブ２０の開口孔部２０ａに締り嵌めにより挿入したときの回転軸に対するハブ２０の傾きをハブ２０のディスク載置部のアキシャル方向の振れとして評価したときの分布である。サンプル数は１００台である。図６（ａ）の横軸はディスク載置部のアキシャル方向の振れをｍｍ単位で示したもので、縦軸は度数である。予め定めたアキシャル方向の振れ上限値を０．０１１ｍｍとした場合の推定不良率は９％であった。
【００６１】
一方、図６（ｂ）は、本実施形態の液状物質付着ステップ、転移ステップ、結合ステップを実施した場合の回転軸に対するハブ２０の傾きをハブ２０のディスク載置部のアキシャル方向の振れとして評価したときの分布である。サンプル数は１００台である。図６（ｂ）の横軸はディスク載置部のアキシャル方向の振れをｍｍ単位で示したもので、縦軸は度数である。そして、予め定めたアキシャル方向の振れ上限値を０．０１１ｍｍとした場合の推定不良率は１％以下であった。
【００６２】
このように本実施形態の製造方法によれば、ハブ２０とシャフト２２の間の傾きを効果的に抑制できると共に、そのバラツキも低減できる。
【００６３】
なお、上述した結合ステップを実行する場合、簡易的にシャフト２２の直径より僅かに大きな支持孔を設けたシャフト支持台を準備して、シャフト支持台の支持孔にシャフト２２を挿入して支持しながら結合作業を実行するようにしてもよい。この方法では支持孔のクリアランスによりシャフト２２が傾いた状態で挿入される可能性がある。しかし、本実施形態の液状物質付着ステップ、転移ステップ、結合ステップを実行することにより図６（ａ）のデータを得たときの回転機器に比べハブ２０とシャフト２２の間の傾きが抑制できて、簡易的な工程を実現できる。
【００６４】
また、結合ステップを実行する場合、ハブ２０を治具に軸方向及び半径方向のいずれにも固定してシャフト２２に被せるようにしてもよい。この方法ではハブ２０を固定する治具の中心と開口孔部２０ａの中心との間に僅かな同軸のずれがある場合があり、ハブ２０の直角度が多少損なわれる場合がある。しかし、本実施形態の液状物質付着ステップ、転移ステップ、結合ステップを実行することにより図６（ａ）のデータを得たときの回転機器に比べハブ２０とシャフト２２の間の傾きが抑制できて、簡易的な工程を実現できる。
【００６５】
実施形態は主にハードディスクドライブに用いられる場合について説明したが、これに限られない。例えば、ＣＤ（ＣｏｍｐａｃｔＤｉｓｃ）装置、ＤＶＤ（ＤｉｇｉｔａｌＶｅｒｓａｔｉｌｅＤｉｓｃ）装置等の光学ディスク記録再生装置に用いられてもよい。また、レーザプリンタ等のポリゴンミラーを回転可能に載置するハブをシャフトに固定する場合に、本実施形態の製造方法を適用してもよく、同様に良好な直角度を容易に得ることができる。
【００６６】
上述した実施形態は例示であり、本発明の原理、応用を示しているにすぎないことはいうまでもない。実施の形態には、請求の範囲に規定された本発明の思想を逸脱しない範囲において、多くの変形例や配置の変更が可能であり、またそうした変形例も本発明の範囲にあることは当業者に理解されるところである。
【符号の説明】
【００６７】
１０ｂ  孔部、  ２０  ハブ、  ２０ａ  開口孔部、  ２０ｅ  挿入側端部、  ２０ｆ  最終固定位置、  ２２  シャフト、  ２２ｂ  挿入側シャフト端部、  ２８  潤滑剤、  ３２  液状物質、  １００  ディスク駆動装置。
【図１】
2012165519.tif 000003
【図２】
2012165519.tif 000004
【図３】
2012165519.tif 000005
【図４】
2012165519.tif 000006
【図５】
2012165519.tif 000007
【図６】
2012165519.tif 000008